(57)【要約】      （修正有）【課題】屋内外の小面積での使用、悪い地面状態での使用を可能とし、その車両痕を最少にとどめる。【解決手段】トラクター本体（農業用）１へ後基盤３２を固定し、その下方に架台プレート１３を接続し、その上面には伸縮ブーム２をボルトで取り付ける。更に、前記トラクター１の中央部の底部へ基盤４を固定し、前記基盤４に基軸７０を固定し、前記基軸７０の上部には円弧プレートのボスをキーで固定し、前記７０基軸にはアームブラケットと左右伸縮開閉アーム部３とを固定し、前記左右伸縮開閉アーム部３の先端には前ジャッキ８２を取り付け、前記左右伸縮開閉アーム部３をピンで位置決めする。また更に、前記トラクター本体１の後部へ補助シリンダー１６、自在車１５及び携引管１４を装着する。【選択図】図１
2011144041.tif 000002
【特許請求の範囲】
【請求項１】
トラクター本体１（農業用）最後部直立面へ後基盤３２を取り付け、架台プレート３３・左右後部伸縮アーム部３７・ブーム架台部３８・ブーム部４２設置し、他関連部品付設する。
【請求項２】
トラクター１（農業用）中央部底部へ底盤２５′を固定し基軸２１′へ円弧プレート２３・左右伸縮開閉アーム部２０等設置し、他関連部品を付設する。
【請求項３】
トラクター本体１（農業用）後部へ補助シリンダー５２・自在車５１・携引管８５等装置する。
【発明の詳細な説明】
発明の名称
ユニック．トラクター
２、発明の詳細な説明
（発明の対象と産業の利用分野）
本発明は室内外の分野で利用される。
本発明は重量物吊り上げに関するものである。
（従来の技術とその問題点）
（ａ）小面積での使用が可能となる。
（ｂ）地面状態が悪くても使用可能である。
（ｃ）携引車を連結できる。
本発明の構成
（１）トラックター本体１（農業用）後部直立面へ後基盤３２を取り付け、次に架台プレート３３を固定、その上面にアーム架台部３８さらにアーム部４２と、なりその先端に４６滑車を吊り下げる。
重量物吊り下げ時横転防止用の、左右伸縮開閉アーム部２０及び左右後部伸縮アーム部３７を設置する。
走行時地面の凹凸、又粗悪地面に於いては自在車５１をシリンダー５２にて、常時一定圧力で保持し左右後輪５に掛かる加重軽減を補助する。
後基盤３２には吊り上げ用の滑車４６に掛かる加重が集中する為補強用の、ブラケット２６・ブラケット１・ブラケット２及び底面にはＬブラケット４１等を設置する。
左右伸縮開閉アーム部２０は、下記の部品を総合表示する。
ガイドアーム２１・基軸２１′・伸縮アーム２２・円弧プレート２３・角度調整ピン２３′・固定ピン２４及び前ジャッキ２５等である。
左右伸縮アーム部３７は、下記の部品を総合表示する。
ガイドアーム３９・伸縮アーム２２・固定ピン２４及び後ジャッキ４０等である。
ブーム架台部３８は、下記の部品を総合表示する。
ブーム架台回転部３５・ブーム架台３８′・巻き上げドラム３９・ブームシリンダー４７及び巻き上げ機４９等である。
ブーム部４２は、下記の部品を総合表示する。
ブーム１．４３・ブーム２．４４・ブーム３．４５及び滑車４６等である。
３，実施例
本発明を図面に示した実施例に基づき詳細な説明をする。１図はユニック．トラックター正面図、２図はユニック．トラックター上面図で右伸縮開閉アーム部２０と右後伸縮アーム部３７は収納状態を表す。  以下図面の説明をするが、以後はトラックター本体１（農業用）をトラックター本体１と記す。トラックター本体１には運転ハンドル２・変速レバー３・運転席４・クラッチペタル７・左後輪ペタル８・右後輪ペタル９・後輪同時回転ペタル１０・ステップ１１等を設置する。トラックター本体１後部直立面に後基盤３２を固定する。後輪軸受６１に固定したブラケット２６を後基盤３２固定し。トラックター本体１後部底面にはＬブラケット４１を取り付け、後基盤３２に接続固定する。後輪軸受６１に固定したブラケット２７及びブラケット２８は、架台プレート３３に接続固定する。架台プレート３３は後基盤３２の下方部の上．下に突き出た水平板にてボルト６０で締め付け固定する。座金６０′・左右後輪軸６０等である。１図に油圧用の切換弁本体１２′には以下の操作ればーが有り、ブーム上下操作レバー１２に対してはブームシリンダ４７・巻上操作レバー１３に対しては巻上ドラム３９・ブーム伸縮操作レバー１４に対してはブーム１．２．３．・ブーム架台回転操作レバー１５に対してはブーム架台回転部３５・右左前ジャッキ操作レバー１６．１７に対しては右左前ジャッキ２５・右左後ジャッキ操作レバー１８．１９に対しては右左前ジャッキ４０・補助シリンダ操作レバー１９′対しては補助シリンダー５２等を装置し、其の先には自在車５１を設ける。
３図．に付き説明する。
トラックター本体１後部直立面に固定した後基盤３２を貫通させた出力スプライン軸５５をギヤケース５３内へ収め、次に出力ギヤー５６へ、次に中間ギヤー５７を介して入力ギヤー５８へ伝達し、それよりメス．オススプライン軸８０にて油圧ポンプ２９の入力スプライン軸３４を回し、油圧ポンプ２９の吐出口３１を切換弁本体１２′へ、接続する。吸入口３０は油圧タンク３６へ接続する。
９図に付き説明する。
トラックター本体１後部直立面に後基盤３２を固定し、その面にギヤケース５３とギヤケースカバー５３′を装備し、トラクター本体１後部直立面より出た出力スプライン軸５５・ベアリング６５・出力ギィヤ５６・座金６７・カラー６８・スナップリング６９・バネガイド軸７０・スラストベアリング７１・メススプライン７２・バネ７３・中間ギヤ５７・カラー７５・中間軸７６・ベアリング７７・入力ギィヤ５８・ベアリング７９・油圧ポンプ２９から出た入力スプライン軸３４・メス。オスプライン軸８０・スナップリング８１・座金８２・オイルシール８３等で構成し、出力スライン軸５５から、入力スプライン軸３４へと動力伝達し油圧ポンプ２９を回転させる。
４，効果
（１）方向転換方法の一例を説明する。
左右前ジャッキ２５・左右後ジャッキ４０を上げ、左右伸縮開閉アーム部２０・左右伸縮アーム部３７を収納する。左旋回１８０°を行う場合クラッチペタル７を踏み、ハンドル２を右に切る右後輪ペタル９をロック一位置迄で踏込む、クラッチペタル７ＯＮする。以上の操作でユニック．トラックターは左旋回を実行するが、右後輪車５の位置を中心とする左旋回をする。操作方法を考えれば、ユニック．トラクター本体全体位置の移動を極小にて方向転換ができる。
（２）悪地面での移動方法の一例を説明する。
地面状態が悪く左右後輪５の片方がスリップする場合、後輪同時作動ペタル１０を踏めば、デフ作動装置を停止させ後輪５は同時作動する、故にスリップしない、もう一方により移動可能となる。又、補助シリンダー５２は圧力調整方式で自在車５１支持力を必要に応じた調整可能な為、地面状態の悪い場所での使用が大変有効である。
（３）使用場所が極小さい場所での移動の場合。
後ブラケット５０・補助シリンダー５２・自在車５１等を取り外しが可能である為ユニック．トラクター全長短縮できる。
（４）最後尾携引管を装置する為、携引可能である。
５、図面の簡単な説明。
１図は正面図である。
２図は上面図である。
３図は１図、２図のＡ部拡大である。
４図は３図部分拡大図である。
５図は３図部分拡大図である。
６図は３図部分拡大図である。
７図は６図のＢ−Ｂ断面とＣ−Ｃ−Ｃ断面図である。
2011144041.tif 000003
2011144041.tif 000004
2011144041.tif 000005
2011144041.tif 000006
2011144041.tif 000007
2011144041.tif 000008
2011144041.tif 000009
【手続補正書】
【提出日】平成22年5月7日(2010.5.7)
【手続補正１】
【補正対象書類名】明細書
【補正対象項目名】全文
【補正方法】変更
【補正の内容】
【発明の詳細な説明】
【技術分野】
【０００１】走行可能な吊り上げ機械
【発明の概要】
【発明が解決しようとする課題】
【０００２】（１）屋内外の小面積での使用が可能な機械。
（２）地面状態が悪くても使用が可能な機械。
（３）地面状態が悪くても車両痕が少ない機械。
（４）上記（１）、（２）、（３）満たし、荷物を運搬可能な機械。
（５）上記（１）、（２）、（３）満たした、機械を新規に開発しようと、すれば多大の費用が必要である。
【課題を解決するための手段】
【０００３】１トラクター本体（農業用）に装備されている８左後車輪用ペタルと、９右後車輪用ペタル及び１０左右後車輪同時回転用ペタルの使用方法により上記（１）、（２）は解決可能である。又上記（３）についても最小限にとどめる。
又、１４携引管へ適当な大きさの、携引車接続すれば上記（４）も解決する。
１トラクター本体（農業用）中央部下側に４基盤を付け、７０基軸の上方には７２円弧プレートのボスを７４キーにて固定し、７５座金を９２ネジで締め付ける。７６は座金である、次に３伸縮開閉アーム部の、一番先端に８２左右前ジャッキをセットし、７８ピンで３伸縮開閉アーム部の位置を調整可能とする。
１トラクター本体（農業用）後部には、２ユニック部を９０ボルトで締め付けるが、その為の３２後基盤を固定した、１３架台プレートを取り付ける。１３架台プレート最後部１６補助シリンダーと、１５自在車及び１４携引管等を設ける。
【発明の効果】
【０００４】（１）屋内外の小面積での使用が可能となる。
（２）地面状態が悪くても使用が可能となる。
（３）地面状態が悪くても車両痕を最少にとどめる。
（４）上記（１）、（２）、（３）満たし、荷物を運搬可能となる。
（５）１トラクター本体（農業用）を利用することで、新規に開発する費が用極小ですむ。
（６）方向転換方法の一例を説明する。
８２左右前ジャッキと８４後ジャッキを上げ、３左右伸縮開閉アーム部、を収納する。左旋回１８０°を行う場合クラッチペタル７を踏み、ハンドルを右に切る、９右後輪用ペタルをロック位置迄で踏込む、クラッチペタル７ＯＮする。以上の操作でユニトラは左旋回を実行するが、６右後輪車の位置を中心とする左旋回をする。
操作方法を考えれば、ユニトラ全体位置の移動を５前輪と６後輪間の距離を、少しオーバーした程度で方向転換ができる。
（７）悪地面での移動方法の一例を説明する。
地面状態が悪く５左右後輪の片方がスリップする場合、１０後輪同時回転ペタルを踏めば、デフ作動装置を停止させ６後輪は同時回転する。
故に、スリップしない。もう一方の６後輪より移動可能となる。
又、１６補助シリンダーは圧力調整方式で１５自在車支持力を必要に応じて調整可能な為、地面状態の悪い場所での使用が大変有効である。
（８）使用場所が極小さい場所での移動の場合。
３５後ブラケット、１６補助シリンダー、１５自在車等を取り外しが可能である為ユニトラ全長短縮できる。
（９）最後尾に１４携引管を装置する為、携引可能である。
【図面の簡単な説明】
【０００５】
【図１】図１は正面図で１トラクター本体（農業用）へ、２ユニック部、３左右伸伸縮開閉アーム部と、その先端に８２前ジャッキ、後方部には１６補助シリンダ、１５自在車最後部に１４携引管等を表示する。
【図２】図２は正面図で１トラクター本体（農業用）へ、２ユニック部と、収納状態の３右伸伸縮開閉アーム部を、３左伸伸縮開閉アーム部は使用中の状態であり、それぞれの先端に８２前ジャッキ、後方部には１６補助シリンダ、１５自在車、最後部１４携引管等を表示する。
【図３】図１、２のＡ部を正面と上面及び側面の拡大図。
【図４】図１、２のＡ部を正面の拡大図。
【図５】図１、２のＡ部を上面の拡大図。
【図６】図１、２のＡ部を側面の拡大図。
【図７】図４、６のＢ〜Ｂ  とＣ〜Ｃ〜Ｃ断面図。
【図８】図８は３伸縮開閉アーム部係わる部分の正面図である。
【図９】図８は３伸縮開閉アーム部係わる部分の上面図である、
【図１０】図１、２のＡ部を正面の拡大図。
【図１１】図１、２のＡ部を上面の拡大図。
【発明を実施するため形態】
【０００６】あらゆる地面の悪条件下でも操作運転可能で、重量物を、吊り上げ、次に運搬可能な機械を考えれば、１トラクター本体（農業用）へ、２ユニック部設置し、主要部品として、３左右伸伸縮開閉アーム部と、その先端に８２前ジヤッキを付ける。又１トラクター本体（農業用）の後方部には１３架台プレ−トを接続し其の上に、２ユニック部設置する。他関連主要部品として、１６補助シリンダ、１５自在車、最後部１４携引管等を装置する。
【実施例１】
【０００７】本発明を図面に示した実施例に基づき詳細な説明をする。図１はユニトラ正面図である。図２はユニトラ上面図で、３左伸縮開閉アーム部で使用中を表す。３右伸縮開閉アーム部は収納状態を表す。１トラックター本体（農業用）には運転ハンドル、変速レバー、運転席、７クラッチペタル、８左後輪用ペタル、９右後輪用ペタル、１０後輪同時回転ペタル、１１ステップ等を有る。１トラクター本体（農業用）後部直立面に３２後基盤を固定する。１２後輪軸受に固定した３０ブラケットを３２後基盤に固定し、１トラックター本体（農業用）後部底面には４１Ｌブラケットを取り付け、３２後基盤に接続固定する。１２後輪軸受に固定した３１ブラケット及び３２’ブラケットは、１３架台プレートに接続固定する。１３架台プレートは３２後基盤の下方部の上．下に突き出た２枚水平板に９１ボルト締め付け固定する。３１’座金等である。図１に示す油圧用の２６切換弁本体には以下の操作レバーが有る、２５ブーム上下操作レバーに対してはブームシリンダ、２４巻上操作レバーに対しては巻上ドラム、２３ブーム伸縮操作レバーに対しては伸縮ブーム、２２ブーム回転操作レバーで、２ユニック部を回転させる。２１、２２右左前ジャッキ操作レバーに対しては８２右左前ジャッキ、右左後ジャッキ操作レバー１９、１８に対しては８４右左後ジャッキ、１７補助シリンダ操作レバー対しては補助シリンダー１６等を装置し、其の先には１５自在車１４携引管を設ける。
図３．により説明するが、図７も参考とする。
１トラクター本体（農業用）の後部直立面に固定した３２後基盤を貫通した３６出力スプライン軸を３４ギヤケース内へ収め、次に４２出力ギヤーへ、次に４３中間ギヤーを介して４４入力ギヤーへ伝達し、それより３７入力メスオスプライン軸にて３８油圧ポンプの３７’の入力スプライン軸を回す、３８油圧ポンプの３９吐出口を２６切換弁本体へ、接続する。吸入口４０は油圧タンクへ接続する。
図７により説明する。
１トラクター本体（農業用）後部直立面に３２後基盤を固定し、その面にギヤケース３４を装備し、１トラクター本体（農業用）の後部直立面より出た３６出力スプライン軸、５０ベアリング、出力ギィヤ４２、５１座金、５２カラー、５３スナップリング、５７’バネガイド軸、５５スラストベアリング、５６メススプライン、５７バネ、４３中間ギヤ、５８カラー、５９中間軸、６０ベアリング、４４入力ギィヤ、３８油圧ポンプから出た３７’入力スプライン軸、３７メスオスプライン軸、６３スナップリング、６４座金、６５オイルシール等で構成し、３６出力スライン軸から入力スプライン軸３７’へと動力伝達し３８油圧ポンプを回転させる。
【産業上の利用可能性】
【０００８】  使用する場所を例として列記する。
（１）農地、山林内では
田地
植木畑
山道
（２）室内、工場内では
室内（室内通路無しでも上部移動が可能）。
工場内では走行クレーンで重量物を移動するがクレーンの移動範囲は壁際から一定距離までしか使用できない。
ユニトラにて壁際のスペースが利用できる。
（３）金属回収業はほとんどの業者は狭い場所での作業ある。
【符号の説明】４基盤
４基盤は１トラックタ（農業用）の中央部の底部にあり、７０基軸と７２円弧プレートのボスを７４ギーで固定し、７０基軸には７１アームブラケットを遊合し、次に３伸縮開閉アーム部接続すし、其の先端には８２前ジャッキ設置する。
３２後基盤
３２後基盤は１トラクター（農業用）最後部に固定し３４ギヤーボックスがあり、下方には１３架台プレートと、次に１６補助シリンダ、１４携引管等を設ける
【手続補正２】
【補正対象書類名】図面
【補正対象項目名】全図
【補正方法】変更
【補正の内容】
【図１】
2011144041.tif 000010
【図２】
2011144041.tif 000011
【図３】
2011144041.tif 000012
【図４】
2011144041.tif 000013
【図５】
2011144041.tif 000014
【図６】
2011144041.tif 000015
【図７】
2011144041.tif 000016
【図８】
2011144041.tif 000017
【図９】
2011144041.tif 000018
【図１０】
2011144041.tif 000019
【図１１】
2011144041.tif 000020
【手続補正３】
【補正対象書類名】特許請求の範囲
【補正対象項目名】全文
【補正方法】変更
【補正の内容】
【特許請求の範囲】
【請求項１】
１トラクター本体（農業用）へ３２後基盤を固定し、下方に、１３架台プレート接続する、上面には２ユニックを９０ボルトで部取り付け、他関連部品付設する。
【請求項２】
１トラクター（農業用）の中央部底部へ基盤４を固定し、次に７０基軸を固定し、其の上部には７２円弧プレートのボスを７４キーで固定し、７０基軸には７１アームブラケットと次に、３左右伸縮開閉アーム部を固定する、其の先端には８２前ジャッキを取り付ける、３左右伸縮開閉アーム部は７８ピンで位置決めをする。他関連部品を付設する。
【請求項３】
１トラクター本体（農業用）の後部へ１６補助シリンダー１５、自在車及び１４携引管等装置する。